(57)【要約】セプタムアクティベータ（４０）、カテーテルスレッダ（６０）、およびニードルハブ（７０）が摺動可能に収容されるカテーテルインサータ本体（２０）を備える静脈カテーテルインサータデバイス（１０）。いくつかの実施形態は、カテーテル留置プロセス中にデバイスの様々な構成要素の動きを調和させるのを支援するように構成される安全バー（２７０）をさらに含む。一般に、セプタムアクティベータは、ルアーアダプタ（１００）のセプタム（１２０）を通る通路を提供する。ルアーアダプタは、カテーテルスレッダによってルアーアダプタ内に挿入されるカテーテルのベース部分を受け取るように構成されるウェッジシール（１３０）を備える。最終的な構成は、患者に取り付けられ、患者の脈管システムと流体連通する一体化されたユニットを提供する。
2015531656.tif 000002
【特許請求の範囲】
【請求項１】
セプタムを備える第１の端部と、ベースを有するカテーテルフードを備える第２の端部とを有するルアーアダプタであって、前記第１の端部と前記第２の端部との間に差し挟まれたウェッジシールをさらに備えるルアーアダプタと、
前記ルアーアダプタの前記第１の端部を受け取るための遠位端を有するインサータ本体と、
前記インサータ本体に摺動可能に結合されたセプタムアクティベータであって、前記セプタムアクティベータの遠位部分は、前記セプタムを通る通路を提供するように構成され、前記セプタムアクティベータは、アパーチャをさらに有する、セプタムアクティベータと、
前記インサータ本体に摺動可能に結合されたカテーテルスレッダであって、カテーテルのベース部分に接触するためのプローブを有し、前記プローブは、前記セプタムアクティベータの前記アパーチャおよび前記セプタムを通る前記通路を通して前記ウェッジシール内に前記カテーテルの前記ベース部分を進ませるように構成され、前記ウェッジシールは、前記カテーテルを保持し、前記ベース部分と前記ウェッジシールの間で耐密のシールを形成するように構成され、前記プローブは、前記プローブを通る通路を提供する開口をさらに有する、カテーテルスレッダと、
前記インサータ本体に摺動可能に結合されたニードルハブであって、前記プローブの前記開口、前記セプタムアクティベータの前記アパーチャ、前記セプタムを通る前記通路、および前記カテーテルを通って延び、前記カテーテルを患者内に挿入するのを支援する針を含むニードルハブと
を備えることを特徴とする静脈カテーテルインサータデバイス。
【請求項２】
前記インサータ本体は、前記セプタムアクティベータ、前記カテーテルスレッダ、および前記ニードルハブが摺動可能に結合されるレールをさらに備えることを特徴とする請求項１に記載のデバイス。
【請求項３】
前記インサータ本体は、前記セプタムアクティベータ、前記カテーテルスレッダ、および前記ニードルハブが中で摺動可能に位置決めされる管腔をさらに備えることを特徴とする請求項１に記載のデバイス。
【請求項４】
前記セプタムアクティベータの一部分、前記カテーテルスレッダ、および前記ニードルハブが通って延び、ユーザにアクセスを提供する窓をさらに備えることを特徴とする請求項３に記載のデバイス。
【請求項５】
第１の端部および第２の端部を有する安全バーをさらに備え、前記第１の端部は、前記ニードルハブに摺動可能に結合され、前記第２の端部は、前記ニードルハブから遠位に延び、前記レールの遠位端に隣接して位置決めされることを特徴とする請求項２に記載のデバイス。
【請求項６】
前記カテーテルスレッダは、前記安全バーのタブを保持するように構成されるクリップをさらに備えることを特徴とする請求項５に記載のデバイス。
【請求項７】
前記レールは、前記カテーテルスレッダおよび前記安全バーが遠位方向に動かされたとき、前記カテーテルスレッダの前記クリップに接触し、前記安全バーの前記タブを解放するように構成されるスプリッタをさらに備え、前記スプリッタと前記安全バーの前記タブとの間の接触は、前記遠位方向での前記安全バーの動きを制限することを特徴とする請求項６に記載のデバイス。
【請求項８】
前記レールの遠位端は、ランプをさらに備え、前記ルアーアダプタは、回転ブロックをさらに備えることを特徴とする請求項５に記載のデバイス。
【請求項９】
前記セプタムアクティベータは、前記ランプを受け取り、前記セプタムアクティベータをロック位置で前記ランプにロックするように構成されるクリップを備え、前記ロック位置では、前記セプタムアクティベータの前記遠位部分が前記セプタムに挿通され、前記セプタムを通る前記通路を提供することを特徴とする請求項８に記載のデバイス。
【請求項１０】
前記ランプは、前記ニードルハブおよび前記安全バーが遠位方向に動かされたとき前記安全バーの前記第２の端部によって接触される傾斜表面をさらに備え、前記傾斜表面と前記安全バーの間の接触が、前記セプタムアクティベータの上で前記安全バーの前記第２の端部を持ち上げ、前記安全バーの前記第２の端部を前記回転ブロック内に挿入することを特徴とする請求項９に記載のデバイス。
【請求項１１】
前記安全バーの前記第１の端部は、前記ニードルハブのチャネル内で圧縮され、そこに摺動可能に接続される１または複数のプロングをさらに備え、前記１または複数のプロングは、前記ニードルハブが遠位方向に動かされたとき前記ニードルハブの前記チャネルを脱出し、それにより前記１または複数のプロングは圧縮されなくなり、その結果、前記１または複数のプロングの幅が前記チャネルの幅より大きくなり、それにより前記１または複数のプロングは、前記ニードルハブが近位方向に動かされたとき前記ニードルハブの近位端に引っかかることを特徴とする請求項５に記載のデバイス。
【請求項１２】
前記ウェッジシールは、前記カテーテルの前記ベースを受け取るように構成される内径を有する環状シールを含むことを特徴とする請求項１に記載のデバイス。
【請求項１３】
静脈カテーテルインサータを製造するための方法であって、
セプタムを備える第１の端部と、ベースを有するカテーテルフードを備える第２の端部とを有するルアーアダプタを提供するステップと、
前記第１の端部と前記第２の端部との間の位置で前記ルアーアダプタ内にウェッジシールを位置決めするステップと、
前記ルアーアダプタの前記第１の端部を受け取るための遠位端を有するインサータ本体を提供するステップと、
セプタムアクティベータを前記インサータ本体に摺動可能に結合するステップであって、前記セプタムアクティベータの遠位部分は、前記セプタムを通る通路を提供するように構成され、前記セプタムアクティベータは、開口をさらに有する、ステップと、
カテーテルスレッダを前記インサータ本体に摺動可能に結合するステップであって、前記カテーテルスレッダは、カテーテルのベース部分に接触するためのプローブを有し、前記プローブは、前記セプタムアクティベータの前記開口および前記セプタムを通る前記通路を通して前記ウェッジシール内に前記カテーテルの前記ベース部分を進ませるように構成され、前記ウェッジシールは、前記カテーテルを保持し、前記ベース部分と前記ウェッジシールの間で耐密のシールを形成するように構成され、前記プローブは、前記プローブを通る通路を提供するための開口をさらに有する、ステップと、
ニードルハブを前記インサータ本体に摺動可能に結合するステップであって、前記ニードルハブは、前記プローブの前記開口、前記セプタムアクティベータの前記開口、および前記カテーテルを通って延びる針を有し、前記針は、前記カテーテルを患者内に挿入するのを支援する、ステップと
を含むことを特徴とする方法。
【請求項１４】
前記インサータ本体は、前記セプタムアクティベータ、前記カテーテルスレッダ、および前記ニードルハブが摺動可能に結合されるレールをさらに備えることを特徴とする請求項１３に記載の方法。
【請求項１５】
前記インサータ本体は、前記セプタムアクティベータ、前記カテーテルスレッダ、および前記ニードルハブが中で摺動可能に位置決めされる管腔をさらに備えることを特徴とする請求項１３に記載の方法。
【請求項１６】
前記セプタムアクティベータ、前記カテーテルスレッダ、および前記ニードルハブへのアクセスを提供するために前記インサータ本体内に窓を提供するためのステップをさらに含むことを特徴とする請求項１５に記載の方法。
【請求項１７】
第１の端部および第２の端部を有する安全バーを提供するためのステップであって、前記第１の端部は、前記ニードルハブに摺動可能に結合され、前記第２の端部は、前記ニードルハブから遠位に延び、前記レールの遠位端に隣接して位置決めされる、ステップをさらに含むことを特徴とする請求項１３に記載の方法。
【請求項１８】
クリップを前記カテーテルスレッダ上に提供するためのステップであって、前記クリップは、前記安全バーのタブを保持するように構成される、ステップをさらに含むことを特徴とする請求項１７に記載の方法。
【請求項１９】
前記カテーテルスレッダおよび前記安全バーが遠位方向に動かされたとき、前記カテーテルスレッダの前記クリップに接触し、前記安全バーの前記タブを解放するように構成される前記レール上のスプリッタを提供するためのステップをさらに含み、前記スプリッタと前記安全バーの前記タブとの間の接触は、前記遠位方向での前記安全バーの動きを制限することを特徴とする請求項１８に記載の方法。
【請求項２０】
前記レールの前記遠位端上にランプを提供するステップと、
前記ルアーアダプタ上に回転ブロックを提供するステップと、
前記セプタムアクティベータ上にクリップを提供するステップであって、前記クリップは、前記ランプを受け取り、前記セプタムアクティベータをロック位置で前記ランプにロックするように構成され、前記ロック位置では、前記セプタムアクティベータの前記遠位部分が前記セプタムに挿通され、前記セプタムを通る前記通路を提供し、前記ランプは、前記ニードルハブおよび前記安全バーが遠位方向に動かされたとき前記安全バーの前記第２の端部によって接触される傾斜表面をさらに備え、前記傾斜表面と前記安全バーの間の接触が、前記セプタムアクティベータの上で前記安全バーの前記第２の端部を持ち上げ、前記安全バーの前記第２の端部を前記回転ブロック内に挿入する、ステップと
をさらに含むことを特徴とする請求項１９に記載の方法。
【発明の詳細な説明】
【技術分野】
【０００１】
本開示は、一般に静脈カテーテルおよびルアー（Ｌｕｅｒ）デバイスに関する。より詳細には、この開示は、カテーテル留置手順中にカテーテルのベース部分を受け取るように構成される、ウェッジシールが中に配置されたルアーアダプタを備える静脈カテーテルインサータについて論じる。静脈カテーテルインサータデバイスは、ルアーアダプタに結合されるカテーテルインサータ本体を含み、カテーテルインサータ本体は、カテーテルのベース部分をルアーアダプタのウェッジシール内に進ませ固定する間に患者の同時カテーテル留置を容易にするために様々な構成要素を備える。
【背景技術】
【０００２】
本明細書で使用されるとき、用語「ルアー」は、任意のルアーテーパ、または医療デバイスおよび／もしくは機器上で雄テーパフィッティングとその相手の雌部との間で漏れのない接続をなすために使用される小規模の流体フィッティングの他のシステムを説明し含むと理解される。本発明によるルアーデバイスまたはアダプタは、ルアーフィッティング接続を介して相互接続される２つのデバイス間で選択的なアクセスを提供するために、一体化されたセプタムをさらに含んでもよい。ルアーフィッティングの非限定的な例は、Ｂｅｃｔｏｎ  Ｄｉｃｋｅｎｓｏｎ，Ｉｎｃによって生産される「Ｌｕｅｒ−Ｌｏｋ」「Ｌｕｅｒ−Ｓｌｉｐ」、および「Ｎｅｘｉｖａ  Ｃｌｏｓｅｄ  ＩＶ  Ｃａｔｈｅｔｅｒ」システムを含む。
【０００３】
注入療法は、針またはカテーテルを通して患者に流体を投与することを含む。それは、一般に、患者の治療が経口投薬によって効果的に治療され得ないとき処方される。典型的には、「注入療法」は、薬物または他の流体が静脈内に投与される手順を指す。しかし、この用語は、筋肉注射、皮下注射、および硬膜外ルートなど他の非経口ルートを通して流体が提供される状況をも指す。
【先行技術文献】
【特許文献】
【０００４】
【特許文献１】米国特許出願第１３／６１４，４８１号明細書
【発明の概要】
【発明が解決しようとする課題】
【０００５】
静脈内注入療法は、一般に、患者に流体を導入する、または患者から流体を除去するために使用される。注入プロセスは、一般に、患者に対する損傷を回避し、または最小限に抑えながら、適正な脈管アクセスを確保するために、カテーテルおよび針の安定した制御を必要とする。動いている救急車の後部内においてなど緊急の状況では、医師または他の介護者は、患者の周囲の過度の動きにより、カテーテルを患者内に挿入することができないことがある。したがって、救急車は、カテーテルを挿入するための安定した環境を介護者に与えるために停止することが必要とされる。これは、介護者にとって不都合を生じ、患者の生命を救うために必要とされ得る貴重な時間を無駄にする。したがって、当技術分野では、現在使用可能な技術に伴う難点および短所を克服するデバイスが求められている。本開示は、そのようなデバイスについて論じる。
【課題を解決するための手段】
【０００６】
本発明は、カテーテルインサータ本体に取外し可能に結合されたルアーアダプタを含む静脈カテーテルインサータを提供する。ルアーアダプタは、患者の表面に付着し、それにより患者との安全なインターフェースを形成するように構成されたベースを有する可撓性のフードを含む。ルアーアダプタは、カテーテルインサータ本体を介してルアーアダプタ内に挿入されるカテーテルのベース部分を受け取るように構成されたウェッジシールをさらに含む。ルアーアダプタは、セプタムをさらに含む。いくつかの実施形態は、カテーテルインサータからのルアーアダプタの早すぎる分離を防止するように構成される回転ブロックをさらに含む。
【０００７】
カテーテルインサータ本体は、患者の同時カテーテル留置を可能にし、一方、カテーテルをルアーアダプタのウェッジシール内に完全に着座させるために様々な構成要素を含む。場合によっては、カテーテルインサータ本体は、セプタムを通して挿入されそこを通る通路を提供する遠位端を有するセプタムアクティベータ（ｓｅｐｔｕｍ  ａｃｔｉｖａｔｏｒ）を備える。カテーテルインサータ本体は、（セプタムアクティベータを介して）セプタムを通して、カテーテルのベース部分がウェッジシール内に完全に着座されることになる最大深さで患者内にカテーテルを進ませるカテーテルスレッダ（ｃａｔｈｅｔｅｒ  ｔｈｒｅａｄｅｒ）をさらに含む。
【０００８】
また、針が提供され、カテーテルインサータ本体に摺動可能に結合されるニードルハブに結合される。針は、カテーテルの先端を通り過ぎて遠位に露出される先鋭な先端を備える。針の先鋭な先端は、カテーテルが挿通される患者の脈管系内への開口を提供する。実装によっては、ニードルハブおよびカテーテルスレッダは、カテーテル留置を達成するように共に進められる。カテーテル留置に続いて、針およびカテーテルスレッダはルアーアダプタから引き抜かれる。次いで、カテーテルインサータ本体は、ルアーアダプタから除去され、廃棄される。
【０００９】
本発明は、静脈カテーテルインサータを製造するための１または複数の方法をさらに含む。実装によっては、静脈カテーテルインサータを製造するための方法は、１）セプタムを備える第１の端部と、ベースを有するカテーテルフードを備える第２の端部とを有するルアーアダプタを提供するステップと、２）第１の端部と第２の端部との間の位置でルアーアダプタ内にウェッジシールを位置決めするステップと、３）ルアーアダプタの第１の端部を受け取るための遠位端を有するインサータ本体を提供するステップと、４）セプタムアクティベータをインサータ本体に摺動可能に結合するステップであって、セプタムアクティベータの遠位部分は、セプタムを通る通路を提供するように構成され、セプタムアクティベータは、開口をさらに有する、ステップと、５）カテーテルスレッダをインサータ本体に摺動可能に結合するステップであって、カテーテルスレッダは、カテーテルのベース部分に接触するためのプローブを有し、プローブは、セプタムアクティベータの開口およびセプタムを通る通路を通してウェッジシール内にカテーテルのベース部分を進ませるように構成され、ウェッジシールは、カテーテルを保持し、ベース部分とウェッジシールの間で耐密のシールを形成するように構成され、プローブは、プローブを通る通路を提供するための開口をさらに有する、ステップと、６）ニードルハブをインサータ本体に摺動可能に結合するステップであって、ニードルハブは、プローブの開口、セプタムアクティベータの開口、およびカテーテルを通って延びる針を有し、針は、カテーテルを患者内に挿入するのを支援する、ステップとを含む。この方法は、セプタムアクティベータ、カテーテルスレッダ、およびニードルハブへのアクセスを提供するためにインサータ本体内に窓を提供するためのステップをさらに含んでもよい。いくつかの方法は、第１の端部および第２の端部を有する安全バーを提供するためのステップであって、第１の端部は、ニードルハブに摺動可能に結合され、第２の端部は、ニードルハブから遠位に延び、カテーテルインサータ本体の遠位端に隣接して位置決めされる、ステップを含んでもよい。
【００１０】
本発明のいくつかの方法は、クリップをカテーテルスレッダ上に提供するためのステップであって、クリップは、安全バーのタブを保持するように構成される、ステップをさらに含む。他の方法は、カテーテルスレッダおよび安全バーが遠位方向に動かされたとき、カテーテルスレッダのクリップに接触し、安全バーのタブを解放するように構成されるカテーテルインサータ本体上のスプリッタを提供するためのステップを含んでもよく、スプリッタと安全バーのタブとの間の接触は、遠位方向での安全バーの動きを制限する。さらに、いくつかの方法は、１）カテーテルインサータ本体の遠位端上にランプを提供するためのステップと、２）ルアーアダプタ上に回転ブロックを提供するためのステップと、３）セプタムアクティベータ上にクリップを提供するためのステップであって、クリップは、ランプを受け取り、セプタムアクティベータをロック位置でランプにロックするように構成され、ロック位置では、セプタムアクティベータの遠位部分がセプタムに挿通され、セプタムを通る通路を提供し、ランプは、ニードルハブおよび安全バーが遠位方向に動かされたとき安全バーの第２の端部によって接触される傾斜表面をさらに備え、傾斜表面と安全バーの間の接触が、セプタムアクティベータの上で安全バーの第２の端部を持ち上げ、安全バーの第２の端部を回転ブロック内に挿入する、ステップとを含む。
【図面の簡単な説明】
【００１１】
本発明の前述の、および他の特徴および利点が得られ、容易に理解されるように、添付の図面に示されているその特定の実施形態を参照することによって、簡単に上述した本発明のより特定の説明がなされることになる。これらの図面は、本発明の典型的な実施形態だけを示し、したがってその範囲を限定するものと解釈するべきでないことを理解して、本発明について、添付の図面の使用を通じて、さらに具体的かつ詳細に記載され説明されることになる。
【００１２】
【図１】本発明の代表的な実施形態による、患者内に挿入される前の静脈カテーテルインサータの断面側面図である。
【図２】本発明の代表的な実施形態による、セプタムアクチュエータを介したルアーアダプタのセプタムの作動後の静脈カテーテルインサータの断面側面図である。
【図３】本発明の代表的な実施形態による、カテーテルのベース部分がルアーアダプタのウェッジシール内に完全に着座するように針およびカテーテルが完全に延びた静脈カテーテルインサータの断面側面図である。
【図４】本発明の代表的な実施形態による、完全に着座されたカテーテルから針を引き抜いた後の静脈カテーテルインサータの断面側面図である。
【図５】本発明の代表的な実施形態による、セプタムアクチュエータからカテーテルスレッダのプローブ部分を引き抜いた後の静脈カテーテルインサータの断面側面図である。
【図６】本発明の代表的な実施形態による、カテーテル留置手順の後でルアーアダプタから切り離された静脈カテーテルインサータの断面側面図である。
【図７】本発明の代表的な実施形態による、カテーテル留置手順の後でルアーアダプタに結合された流体ラインの図である。
【図８Ａ】本発明の代表的な実施形態による静脈カテーテルインサータのそれぞれの図である。
【図８Ｂ】本発明の代表的な実施形態による静脈カテーテルインサータのそれぞれの図である。
【図９】本発明の代表的な実施形態による、開始位置にある図８に示されている静脈カテーテルインサータの断面側面図である。
【図１０Ａ】本発明の代表的な実施形態による、セプタムアクチュエータを介したルアーアダプタのセプタムの作動後の静脈カテーテルインサータの斜視側面図である。
【図１０Ｂ】本発明の代表的な実施形態による、セプタムアクチュエータを介したルアーアダプタのセプタムの作動後の静脈カテーテルインサータの斜視上面図である。
【図１０Ｃ】本発明の代表的な実施形態による、セプタムアクチュエータを介したルアーアダプタのセプタムの作動後の静脈カテーテルインサータの断面図である。
【図１１Ａ】本発明の代表的な実施形態による、カテーテルのベース部分がルアーアダプタのウェッジシール内に完全に着座するように針およびカテーテルが完全に延びた静脈カテーテルインサータの斜視側面図である。
【図１１Ｂ】本発明の代表的な実施形態による、カテーテルのベース部分がルアーアダプタのウェッジシール内に完全に着座するように針およびカテーテルが完全に延びた静脈カテーテルインサータの斜視上面図である。
【図１１Ｃ】本発明の代表的な実施形態による、カテーテルのベース部分がルアーアダプタのウェッジシール内に完全に着座するように針およびカテーテルが完全に延びた静脈カテーテルインサータの断面図である。
【図１２Ａ】本発明の代表的な実施形態による、完全に着座されたカテーテルから針を引き抜いた後の静脈カテーテルインサータの斜視側面図である。
【図１２Ｂ】本発明の代表的な実施形態による、完全に着座されたカテーテルから針を引き抜いた後の静脈カテーテルインサータの斜視上面図である。
【図１２Ｃ】本発明の代表的な実施形態による、完全に着座されたカテーテルから針を引き抜いた後の静脈カテーテルインサータの断面図である。
【図１３Ａ】本発明の代表的な実施形態による、セプタムアクチュエータからカテーテルスレッダのプローブ部分を引き抜いた後、さらに静脈カテーテルインサータからルアーアダプタを切り離した後の静脈カテーテルインサータの斜視側面図である。
【図１３Ｂ】本発明の代表的な実施形態による、セプタムアクチュエータからカテーテルスレッダのプローブ部分を引き抜いた後、さらに静脈カテーテルインサータからルアーアダプタを切り離した後の静脈カテーテルインサータの斜視上面図である。
【図１３Ｃ】本発明の代表的な実施形態による、セプタムアクチュエータからカテーテルスレッダのプローブ部分を引き抜いた後、さらに静脈カテーテルインサータからルアーアダプタを切り離した後の静脈カテーテルインサータの断面図である。
【発明を実施するための形態】
【００１３】
記載の発明の現在好ましい実施形態は、同様の部分が全体を通して同様の符号によって示されている図を参照することによって最もよく理解されよう。添付の図に概して記載され示されている本発明の構成要素が多種多様な異なる構成で構成および設計され得ることは、容易に理解されよう。したがって、図に表されている本発明のいくつかの実施形態の以下のより詳細な説明は、特許請求されている本発明の範囲を限定するものではなく、本発明のいくつかの現在好ましい実施形態を表すものにすぎない。
【００１４】
一般に、本発明は、カテーテルおよびルアーアクセスデバイスを患者に固定するための一体化されたユニットに関する。具体的には、本発明のいくつかの実施形態は、ルアーアダプタに選択的に結合されるカテーテルインサータ本体を含む手持ちデバイスを提供する。場合によっては、ルアーアダプタは、患者の体表面とのインターフェースを形成するように構成されたベースを備える可撓性のポリマー材料製のフードを備える。いくつかの実施形態では、ルアーアダプタのベースは、患者上でルアーアダプタの場所を固定し定めるために接着剤をさらに備える。適合するルアーアダプタの非限定的な例が、Ｓｔｅｐｈｅｎ  Ｂｏｒｎｈｏｆｔによって２０１２年９月１３日に出願された「ＬＵＥＲ  ＳＥＣＵＲＥＭＥＮＴ  ＤＥＶＩＣＥ」という名称の米国特許出願で提供されており（特許文献１参照）、これは参照によりその全体が本明細書に組み込まれる。
【００１５】
カテーテルインサータ本体は、取外し可能にルアーアダプタに選択的に結合される。ルアーアダプタは、接着剤を介して患者に固定される。相互接続されたルアーアダプタとカテーテルインサータ本体は、患者とユーザの間で接続されたブリッジを提供する。したがって、ユーザは、そうでない場合にはカテーテル留置手順を妨げることがある外部の動きによって影響を受けない。さらに、ルアーアダプタのフードの可撓性は、適正な挿入を確保するためにカテーテル留置手順中にユーザがわずかな調整をすることを可能にする。患者の脈管系内にカテーテルを挿入した後で、カテーテルインサータ本体はルアーアダプタから除去され、廃棄される。ルアーアダプタは定位置に残り、それによりカテーテルの挿入された位置を固定し、患者に対する流体アクセスを可能にする。
【００１６】
本発明の実施形態は、カテーテルをさらに含む。本発明のカテーテルは、試験管内の使用と適合する任意のタイプまたはスタイルのカテーテルを含んでもよい。たとえば、場合によっては、本発明は、静脈カテーテルを含む。したがって、本発明と適合するカテーテルは、可撓性のポリマーカテーテルおよび／または剛性ポリマーもしくは金属カテーテルを、望まれ得るように含んでもよい。
【００１７】
カテーテルインサータは、患者のカテーテル留置を容易にするために様々な構成要素を備える。具体的には、カテーテルインサータは、カテーテルインサータの本体に摺動可能に結合されるセプタムアクティベータを備える。セプタムアクティベータは、遠位方向に摺動され、そのときセプタムアクティベータの遠位部分がルアーアダプタのセプタムを通って進み、そこを通る通路を提供するように構成される。この通路は、セプタムを損傷することなしにカテーテルインサータのカテーテルおよび針の挿入を可能にする。さらに、この通路は、カテーテル留置中にカテーテルとセプタムの間の接触を防止し、それにより摩擦抵抗を解消し、針およびカテーテルの抵抗のない挿入を可能にする。
【００１８】
いくつかの実施形態では、カテーテルインサータは、プローブを有するカテーテルスレッダをさらに備え、プローブは、カテーテル留置プロセス中にセプタムを通してカテーテルを進ませる。これは、カテーテルスレッダが遠位方向に摺動され進められたとき達成される。場合によっては、カテーテルスレッダは、カテーテルインサータの本体に摺動可能に結合される。カテーテルインサータは、カテーテルインサータの本体に同様に結合されるニードルハブをさらに備える。ニードルハブは、ニードルハブに固定結合される第１の端部を有する針を備え、患者の皮膚および静脈を穿刺しカテーテルが挿入され進められ得る開口を提供するように構成される先鋭な先端を備える第２の端部をさらに含む。針の本体は、針の先鋭な先端がカテーテルの先端を越えて露出されるようにカテーテルスレッダおよびカテーテルに突き通される。このタイプの静脈カテーテルは、当技術分野において「オーバーザニードル（ｏｖｅｒ−ｔｈｅ−ｎｅｅｄｌｅ）カテーテル」として一般に知られている。
【００１９】
本発明のルアーアダプタは、カテーテルのベース部分を耐密に受け取るように構成された環状を有するウェッジシールをさらに備える。カテーテル留置のプロセスは、カテーテルのベース部分がウェッジシール内に挿入されるときカテーテルの先端部分を患者内に同時に挿入する。カテーテルのベース部分がウェッジシール内に完全に着座したとき、カテーテル先端の挿入の最大深さが達成される。カテーテル留置プロセスは、針がカテーテルから引き抜かれ、カテーテルスレッダが近位方向に引き込められ、セプタムアクティベータがセプタムから引き抜かれ、カテーテルインサータがルアーアダプタから除去されたとき完了する。いくつかの実施形態では、ルアーアダプタのセプタムは、自己封止スリットを備え、その結果、セプタムアクティベータを引き抜いたとき、セプタムが封止され、それによりカテーテルからの血液をルアーアダプタ内に含む。
【００２０】
本発明の前述の特徴および原理は、様々な設計および手法によって達成され得ることを、当業者なら理解するであろう。したがって、本発明は、どの特定の設計または機械的構造にも限定されない。しかし、当業者が本発明を実施することを可能にするために、以下の非限定的な実施形態が説明と共に提供される。
【００２１】
次に図１を参照すると、静脈カテーテルインサータデバイス１０が示されている。デバイス１０は、一般に、ルアーアダプタ１００に選択的に結合されるカテーテルインサータ本体２０を備える。たとえば、いくつかの実施形態では、カテーテルインサータ本体２０の遠位端は、ルアーアダプタ１００の第１の端部のねじ山１１０のセットを適合して受け取るように構成されるねじ山３０のセットを備える。ルアーアダプタ１００は、可撓性のポリマー材料を含むフード１０２をさらに含む。ルアーアダプタ１００の第２の端部およびフード１０２は、カテーテル留置の前に患者の表面に直接付着するように構成されるベース表面１０４を備える。一般に、ベース表面１０４は、フード１０２を患者に固定する接着剤を備える。フード１０２の可撓性は、フード１０２を患者から切り離すことなしにカテーテルインサータ本体２０の動きを可能にする。たとえば、ユーザは、カテーテル留置中にカテーテルインサータ本体２０の位置を調整し、患者の脈管内へのカテーテルおよび針の適正な挿入を確保することができる。いくつかの実施形態では、ベース１０４は、デバイス１０の針およびカテーテルのための所望の挿入角に基づいて選択されるベース角θをさらに含む。
【００２２】
ルアーアダプタ１００は、自己封止スリット１２２を有するセプタム１２０をさらに備える。セプタム１２０は、フード１０２の内部空間１０６と外部環境の間に物理的な障壁を提供する。したがって、カテーテル留置に続いて、セプタム１２０は、患者の血液をルアーアダプタ１００内に含み、それによりユーザに対する暴露を防止する。
【００２３】
ルアーアダプタ１００は、フード１０２内でセプタム１２０と内側空間１０６の間の位置に位置決めされるウェッジシール１３０をさらに備える。ウェッジシール１３０は環状であり、デバイス１０のカテーテルのベース部分を耐密に受け取るように構成された幅を有する開口を備える。
【００２４】
カテーテルインサータ本体２０は、カテーテル留置プロセスを支援するために様々な構成要素が摺動可能に収容される内部管腔２２を含んでもよい。たとえば、いくつかの実施形態では、管腔２２は、セプタム１２０に隣接して位置決めされるセプタムアクティベータ４０を備える。いくつかの実施形態では、セプタムアクティベータ４０は、セプタムアクティベータ４０を通る通路を形成する開口４２を備える。開口４２は、カテーテル５０およびカテーテルスレッダ６０のプローブ部分６２の通過に摺動可能に対処しそれを可能にするようにサイズ設定される。セプタムアクティベータ４０の遠位端４４は、セプタム１２０のスリット１２２を通して進められそこを通る通路を提供するように構成される。いくつかの実施形態では、遠位端４４は、遠位端４４のスリット１２２内への容易な挿入および挿通を容易にするために面取りされた前縁を備える。
【００２５】
いくつかの実施形態では、カテーテルインサータ本体２０は、セプタムアクティベータのハンドル部分４６が通って延ばされる窓２４を備える。窓２４は、一般に、セプタムアクティベータ４０および他の構成要素の動きを、それぞれ近位方向１２および遠位方向１４で可能にする長さを含む。
【００２６】
引き続き図１を参照すると、カテーテルインサータ本体２０は、セプタムアクティベータ４０とインサータ本体２０の近位端２６との間の位置で内部管腔２２内に摺動可能に収容されるカテーテルスレッダ６０をさらに備える。カテーテルスレッダは、ニードルハブ７０の針７２の通過に摺動可能に対処しそれを可能にするようにサイズ設定および構成された幅を有する開口６４を備える。カテーテルインサータ６０は、カテーテルインサータ６０から遠位に延びるプローブ６２をさらに備える。プローブ６２は、セプタムアクティベータ４０の開口４２を摺動可能に挿通し通過するようにサイズ設定および構成される外径を備える。さらに、プローブ６２の遠位端６８は、カテーテル５０のベース部分５２に接触する、および／またはそれを受け取るようにサイズ設定および構成される。カテーテルスレッダ６０が遠位方向１４に進められたとき、遠位端６８は、カテーテル５０を押し、ベース部分５２がウェッジシール１３０内に着座されるまでセプタムアクティベータの開口４２を通して、またセプタム１２０を通して進ませる。いくつかの実施形態では、カテーテルスレッダ６０は、ユーザにとってアクセス可能であるようにカテーテルインサータ本体２０の窓２４を通って延びるハンドル６６をさらに備える。
【００２７】
カテーテルインサータ本体２０は、カテーテルスレッダ６０とインサータ本体２０の近位端２６との間の位置で内部管腔２２に摺動可能に収容されるニードルハブ７０をさらに備える。ニードルハブ７０は、ニードルハブ７０に固定結合される第１の端部７４を有し、先鋭な先端７６がカテーテル５０の先端５４を越えて遠位に延びるように開口６４およびカテーテル５０に突き通される先鋭な先端７６を備える第２の端部をさらに有する針７２を備える。ニードルハブ７０は、ユーザにとってアクセス可能であるようにカテーテルインサータ本体２０の窓２４を通って延びるハンドル７８をさらに備える。
【００２８】
カテーテルインサータデバイス１０は、カテーテル５０を患者の脈管システム内に挿入するために使用され得る。カテーテル留置の方法の非限定的な例は、図２〜図７で実証されている。次に図２を参照すると、カテーテル留置プロセスの第１のステップは、ベース表面１０４を患者（図示せず）に取り付けることである。いくつかの実施形態では、ベース部分１０４は、フード１０２を患者に取り付けるためにベース部分１０４から除去され、接着剤を暴露する非粘着性の裏当てまたは被覆（図示せず）を備える。ルアーアダプタ１００が患者に結合された後で、セプタムアクティベータ４０が遠位方向１４に摺動され、その結果、遠位端４４がセプタム１２０に挿通され、そこを通る通路を提供する。場合によっては、滑らかな材料またはコーティングがスリット１２２および／または遠位端４４の外側表面に適用され、遠位端４４のスリット１２２への容易な挿通を容易にする。他の場合には、滑らかな材料またはコーティングが開口４４および／または管腔２２の内側表面に適用され、カテーテル留置プロセス中にセプタムアクティベータ４０、カテーテルスレッダ６０、およびニードルハブ７０の容易な動きを容易にする。
【００２９】
ニードルハブ７０およびカテーテルスレッダ６０が遠位方向１４に管腔２２を通って進められたとき、カテーテル５０および先鋭な先端７６が、セプタムアクティベータ４０の開口４２を通って進められる。先鋭な先端７６は、ベース部分１０４ならびに患者の皮膚および静脈に穴を開け、カテーテル先端５４が挿通され進められる開口を提供する。ニードルハブ７０が遠位方向１４に進められたとき、カテーテルスレッダ６０が遠位方向１４に進められる。カテーテルスレッダ６０のプローブ６２は、開口４２を通過し、それによりカテーテル５０のベース部分５２を、セプタムアクティベータ４０を通してウェッジシール１３０内に進める。カテーテル先端５４のための挿入の最大深さは、ニードルスレッダ６０がセプタムアクティベータ４０の近位端に接触し、カテーテル５０のベース部分５２がウェッジシール１３０内に完全に着座されたとき達成される。
【００３０】
いくつかの実施形態では、ユーザは、患者の脈管系内にカテーテル先端５４を最初に挿入した後で先鋭な先端７６をカテーテル５０内に引き抜くことができる。たとえば、ユーザは、ニードルハブ７０を近位方向１２に引き抜いてもよい。あるいは、ユーザは、図４に示されているように、遠位方向１４でのニードルハブ７０の動きを中止し、一方、遠位方向１４でカテーテルスレッダ６０の動きを続行することができる。次いで、ユーザは、ニードルハブ７０とは独立してカテーテルスレッダ６０を遠位方向１４に進ませることによって、カテーテル５０を患者の静脈内に進めることを続けてもよい。
【００３１】
引き続き図４を参照すると、カテーテル留置に続いて、ニードルハブ７０は近位方向１２に引き抜かれ、それにより先鋭な先端７６をセプタムアクティベータ４０の開口４２内で遮蔽する。いま、患者からの血液または他の流体は、カテーテル５０を通ってカテーテルスレッダ６０の開口６４内に自由に流れる。したがって、いくつかの実施形態では、針７２の外径および開口６４の内径は、これらの２つの構成要素間で最小の公差を提供するように構成され、それにより開口６４を血液が通過するのを最小限に抑え、または防止する。同様に、プローブ６２の外径およびセプタムアクティベータ４０の開口４２の内径は、これらの２つの構成要素間で最小の公差を提供するように構成され、それにより開口４２を血液が通過するのを最小限に抑え、または防止する。
【００３２】
次に図５を参照すると、いくつかの実施形態では、カテーテルスレッダを近位方向１２に動かすことによってカテーテルスレッダがルアーアダプタ１００から除去される。図のように、開口４２からプローブ６２を除去することは、開口４２を介してカテーテル５０と管腔２２の間の流体連通を可能にすることができる。したがって、いくつかの実施形態では、カテーテルスレッダ６０とセプタムアクティベータ４０は、近位方向１２に同時に動かされ、カテーテル５０からの血液の漏れを防止する。これらの構成要素を同時に動かすことは、血液または他の流体に対する最小限の暴露でセプタム１２０のスリット１２２が閉じ、自己封止することを可能にする。
【００３３】
セプタム１２０からセプタムアクティベータ４０を除去した後で、セプタム１２０のスリット１２２は自己封止され、それにより内部空間１０６を外部環境から隔離する。次いで、カテーテルスレッダ本体２０が、ねじ山１１０、３０を解くことによってルアーアダプタ１００から除去されてもよい。次いで、カテーテルスレッダ本体２０およびそれに含まれる様々な構成要素は処分される。
【００３４】
患者の脈管システムは、図７に示されているように、ルアーコネクタ９０を介して流体ライン８０をルアーアダプタ１００に結合することによってアクセスされる。いくつかの実施形態では、ルアーコネクタ９０は、ルアーコネクタ９０がルアーアダプタ１００のねじ山１１０にねじ結合されるときセプタム１２０のスリット１２２に挿通されるプローブ９２を備える。あるいは、患者の脈管システムは、シリンジまたは他のデバイスをセプタム１２０のスリット１２２に挿通することによってアクセスされてもよい。
【００３５】
次に図８Ａ〜図１３Ｃを参照すると、カテーテルインサータデバイス２００の代表的な実施形態が示されている。カテーテルインサータデバイス２００は、カテーテルスレッダ本体２１０からのルアーアダプタ３００の早すぎる分離を防止する様々な安全特徴を備える。図８Ａ〜図９を参照すると、カテーテルインサータデバイス２００は、セプタムアクティベータ２２０、カテーテルスレッダ２４０、およびニードルハブ２６０が摺動可能に載置されるレールを備えるカテーテルインサータ本体２１０を含む。さらに、ルアーアダプタ３００は、カテーテル留置プロセス中にフード３０２とインサータ本体２１０の間の場所で位置決めされる回転ブロックまたはガード３１０を備える。
【００３６】
カテーテルスレッダ２４０のプローブ部分２４４は、カテーテルインサータ本体２１０の下方または下で位置決めされ、たとえば締まり嵌めによってカテーテル５０のベース部分５２を適合して受け取り保持するように構成される。場合によっては、ベース部分５２は、プローブ部分２４４の適合する形状または表面によって受け取られる形状を備える。また、カテーテル留置中にカテーテル５０の前進および後退の動きを容易にするために必要とされることがあるとき、ベース部分５２とプローブ部分２４４の間に軽い接着剤が使用されてもよい。カテーテル留置の前に、カテーテル先端５４および針７２の先鋭な先端７６は、セプタム１２０に近接する位置にてセプタムアクティベータ２２０内で遮蔽される。
【００３７】
カテーテルインサータデバイス２００は、ニードルハブ２６０の上部部分に摺動可能に結合される第１の端部２７２を有する安全バー２７０をさらに備え、ニードルハブ２６０から遠位に延び、セプタムアクティベータ２２０に隣接して位置決めされる第２の端部２７４を備える。カテーテル留置の前に、第２の端部２７４は、セプタムアクティベータ２２０の近位端表面に当接および接触する。したがって、安全バー２７０は、遠位方向でルアーアダプタ３００に向かって動かないようになる。さらに、カテーテルスレッダ２４０のクリップ２４６は、安全バー２７０のタブ２７６に固定され、それによりカテーテルスレッダ２４０と安全バー２７０を共にロックする。したがって、第２の端部２７４とセプタムアクティベータ２２０の間の干渉もまた、遠位方向でルアーアダプタ３００に向かうカテーテルスレッダ２４０の動きを防止する。さらに、ニードルハブ２６０とカテーテルスレッダ２４０の当接された位置は、ニードルハブ２６０の動きを防止する。
【００３８】
カテーテルインサータ本体２１０は、カテーテル留置プロセス中、セプタムアクティベータ２２０、安全バー２７０、カテーテルスレッダ２４０、およびニードルハブ２６０の動きを制御するために様々な特徴を備える。たとえば、インサータ本体２１０は、インサータ本体２１０の遠位端２１２上で位置決めされるランプ２１４を備える。インサータ本体２１０は、インサータ本体２１０の長さのほぼ中央に位置決めされるスプリッタ２１６をさらに備える。いくつかの実施形態では、スプリッタ２１６は、安全バー２７０の窓２８０内で上向きに延びるように構成される。インサータ本体２１０は、カテーテルインサータデバイス２００の近位端を形成する屋根またはカバー２１８をさらに備える。カバー２１８は、カテーテル留置プロセスを通して安全バー２７０の第１の端部２７２の位置を概して保持または制御するために提供される。
【００３９】
安全バー２７０の第１の端部２７２は、カテーテル留置プロセス中に様々な時点でニードルハブ２６０と相互作用するように構成される１または複数のプロング２７８をさらに備える。たとえば、いくつかの実施形態では、１または複数のプロング２７８は、最初に圧縮され、ニードルハブ２６０のチャネル内に部分的に収容される。ニードルハブ２６０が遠位方向に動かされたとき、１または複数のプロング２７８は、ニードルハブ２６０から変位され、圧縮されていない、または伸長された位置をとる。示されることになるように、ニードルハブ２６０が初期の位置に戻ったとき、いま伸長されているプロングはニードルハブ２６０に引っかかり、それにより安全バー２７０を近位方向に引きずる。
【００４０】
カテーテル留置プロセスの第１のステップは、図１０Ａ〜図１０Ｃに示されているように、スリット１２２を通してセプタムアクティベータ２２０を進めることによってセプタム１２０を通る通路を提供することである。いくつかの実施形態では、セプタムアクティベータ２２０は、セプタムアクティベータ２２０が遠位方向１４に進められたときランプ２１４を受け取り、その上にロックするように構成される一方向クリップ２２２を備える。ロックされた位置では、セプタムアクティベータ２２０の近位表面は、もはやランプ２１４と安全バー２７０の第２の端部２７４との間に差し挟まれない。したがって、ニードルハブ２６０、カテーテルスレッダ２４０、および安全バー２７０は、遠位方向１４に進められ得る。これらの構成要素が遠位方向１４に動かされたとき、安全バー２７０の第２の端部２７４は、ランプ２１４の傾斜表面と接触し、それによりセプタムアクティベータ２２０の上で第２の端部２７４を持ち上げる。遠位方向１４にさらに動かしたとき、安全バー２７０の第２の端部２７４は、回転ブロック３１０内で位置決めされる。回転ブロック３１０は、ルアーアダプタ３００に固定で取り付けられる区画を備える。第２の端部２７４が回転ブロック３１０内で位置決めされたとき、カテーテルインサータ本体２１０は、回転されないようになり、それによりカテーテル留置プロセス中、ルアーアダプタ３００からのカテーテルインサータ本体２１０の早すぎる分離を防止する。
【００４１】
ニードルハブ２６０、カテーテルスレッダ２４０、および安全バー２７０を遠位方向１４に動かすプロセスでは、カテーテルスレッダ２４０のクリップ２４６がスプリッタ２１６を通り過ぎて動かされる。スプリッタ２１６は、クリップ２４６の２つの半体を分離し、それにより安全バー２７０のタブ２７６を解放する。タブ２７６はスプリッタ２１６と接触し、遠位方向１４に安全バー２７０がさらに進むのを防止する。しかし、カテーテルスレッダ２４０は、もはや安全バー２７０に結合されず、したがって、図１１Ａ〜図１１Ｃに示されているように、ニードルハブ２６０と共に遠位方向１４に進み続けることができる。ニードルハブ２６０が遠位方向１４に動いたとき、１または複数のプロング２７８は、ニードルハブ２６０から解放され、圧縮されていない、または伸長された形態をとる。
【００４２】
引き続き図１１Ａ〜図１１Ｃを参照すると、遠位方向１４にカテーテルスレッダ２４０およびニードルハブ２６０が進み続けることは、患者のカテーテル留置をもたらす。具体的には、カテーテルスレッダ２４０のプローブ２４４が、カテーテル５０のベース部分５２をウェッジシール１３０内に進め、着座させる。セプタムアクティベータ２２０は、セプタム１２０を通る通路を提供し、それによりセプタムの損傷を防止し、カテーテル留置中にカテーテル５０とセプタム１２０の間の摩擦フィードバックを解消する。
【００４３】
患者のカテーテル留置に続いて、ニードルハブ２６０が近位方向１２に動かされたとき針７２がカテーテル５０から引き抜かれる。ニードルハブ２６０が安全バー２７０の第１の端部２７２を通過したとき、圧縮されていないプロング２７８がニードルハブ２６０に引っかかり、それにより、図１２Ａ〜図１２Ｃに示されているように、安全バー２７０をニードルハブ２６０と共に近位方向１２に引きずる。ニードルハブ２６０の最大近位位置では、安全バーの第２の端部２７４が回転ブロック３１０から除去され、針７２の先鋭な先端７６がセプタムアクティベータ２２０内で遮蔽される。したがって、カテーテルインサータ本体２１０は、図１３Ａ〜図１３Ｃに示されているように、回転されルアーアダプタ３００から切断され得る。ルアーアダプタ３００から除去された後で、カテーテルインサータ本体２１０は破棄されてもよい。
【００４４】
いくつかの実施形態では、カテーテルインサータ本体２１０は、カテーテル留置中にカテーテルに続いてニードルハブ２６０を最大近位位置でロックするために提供される１または複数の安全ロック２３０（図１１Ｂ参照）をさらに備える。インサータ本体２１０は、インサータ本体２１０からのニードルハブ２６０の除去を防止するために追加のロック２３２をさらに含んでもよい。これらの特徴は、カテーテル留置の前後に針７２の先鋭な先端７６と誤って接触するのを防止する。
【００４５】
本発明は、本明細書に広く記載され以下で特許請求されているその構造、方法、または他の本質的な特徴から逸脱することなしに他の特定の形態で実施され得る。記載の実施形態および例はすべて、あらゆる点で、例示的なものにすぎず限定するものでないと解釈されるべきである。したがって、本発明の範囲は、前述の説明によってではなく、添付の特許請求の範囲によって示される。特許請求の範囲の均等物の意味および範囲内に入る変更はすべて、それらの範囲内に包含されるべきである。
【図１】
2015531656.tif 000003
【図２】
2015531656.tif 000004
【図３】
2015531656.tif 000005
【図４】
2015531656.tif 000006
【図５】
2015531656.tif 000007
【図６】
2015531656.tif 000008
【図７】
2015531656.tif 000009
【図８Ａ】
2015531656.tif 000010
【図８Ｂ】
2015531656.tif 000011
【図９】
2015531656.tif 000012
【図１０Ａ】
2015531656.tif 000013
【図１０Ｂ】
2015531656.tif 000014
【図１０Ｃ】
2015531656.tif 000015
【図１１Ａ】
2015531656.tif 000016
【図１１Ｂ】
2015531656.tif 000017
【図１１Ｃ】
2015531656.tif 000018
【図１２Ａ】
2015531656.tif 000019
【図１２Ｂ】
2015531656.tif 000020
【図１２Ｃ】
2015531656.tif 000021
【図１３Ａ】
2015531656.tif 000022
【図１３Ｂ】
2015531656.tif 000023
【図１３Ｃ】
2015531656.tif 000024
【国際調査報告】
2015531656.tif 000025
2015531656.tif 000026
2015531656.tif 000027